Podtech/llm-jp-corpus-v4-ja_patent huggingface dataset:
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
治療的有効量の抗IL-31RA抗体またはフラグメントを含む薬学的組成物であって、抗IL-31RA抗体またはフラグメントは、SEQ ID NO:6のアミノ酸残基20〜519もしくはその一部、またはSEQ ID NO:8のアミノ酸残基33〜532もしくはその一部と結合し、アトピー性皮膚炎、接触性皮膚炎、薬物誘導性遅延型皮膚アレルギー反応、中毒性表皮壊死症、皮膚T細胞リンパ腫、水疱性類天疱瘡、円形脱毛症、白斑、酒さ性ざ瘡、結節性痒疹、硬皮症、および単純ヘルペスウイルスからなる群より選択される皮膚障害の状態もしくは症状の少なくとも1つを予防する、その進行を阻止する、その発症を遅らせる、その重篤度を軽減させる、および/または抑止する、前記組成物。
【請求項２】
抗IL-31RA抗体がポリクローナル抗体である、請求項1記載の組成物。
【請求項３】
抗IL-31RA抗体が中和モノクローナル抗体である、請求項1記載の組成物。
【請求項４】
請求項3記載のモノクローナル抗体を産生するハイブリドーマ。
【請求項５】
抗体フラグメントがFabフラグメントである、請求項1記載の組成物。
【請求項６】
抗体フラグメントがFab'フラグメントである、請求項1記載の組成物。
【請求項７】
抗体フラグメントがF(ab')2フラグメントである、請求項1記載の組成物。
【請求項８】
抗体フラグメントが単鎖Fvである、請求項1記載の組成物。
【請求項９】
抗IL-31RA抗体またはフラグメントが、SEQ ID NO:6のアミノ酸残基20〜277またはSEQ ID NO:8のアミノ酸残基33〜240と結合する、請求項1記載の組成物。
【請求項１０】
抗IL-31RA抗体またはフラグメントが、SEQ ID NO: 6のアミノ酸残基20〜519またはSEQ ID NO:8のアミノ酸残基33〜532のうちの約4〜10個のアミノ酸残基と結合する、請求項1記載の組成物。
【請求項１１】
抗IL-31RA抗体またはフラグメントが、SEQ ID NO:6のアミノ酸残基20〜519またはSEQ ID NO:8のアミノ酸残基33〜532のうちの約10〜14個のアミノ酸残基と結合する、請求項1記載の組成物。
【請求項１２】
抗IL-31RA抗体またはフラグメントが、SEQ ID NO:6のアミノ酸残基20〜519またはSEQ ID NO:8のアミノ酸残基33〜532のうちの約14〜30個のアミノ酸残基と結合する、請求項1記載の組成物。
【請求項１３】
フラグメントがさらにポリエチレングリコールとコンジュゲートしている、請求項1記載の組成物。
【請求項１４】
フラグメントがさらにヒト血清アルブミンとコンジュゲートしている、請求項1記載の組成物。
【請求項１５】
治療的有効量の可溶性IL-31RA受容体を含む薬学的組成物であって、可溶性IL-31RA受容体は、SEQ ED NO:2のアミノ酸残基1〜164からなるIL-31ポリペプチドと結合し、アトピー性皮膚炎、接触性皮膚炎、薬物誘導性遅延型皮膚アレルギー反応、中毒性表皮壊死症、皮膚T細胞リンパ腫、水疱性類天疱瘡、円形脱毛症、白斑、酒さ性ざ瘡、結節性痒疹、硬皮症、および単純ヘルペスウイルスからなる群より選択される皮膚障害の状態もしくは症状の少なくとも1つを予防する、その進行を阻止する、その発症を遅らせる、その重篤度を軽減させる、および/または抑止する、前記組成物。
【請求項１６】
可溶性IL-31RA受容体がSEQ ID NO:6のアミノ酸残基20〜519またはSEQ ID NO:8のアミノ酸残基33〜240を含む、請求項15記載の組成物。
【請求項１７】
可溶性IL-31RA受容体がSEQ ID NO:10のアミノ酸残基1〜324を含む、請求項15記載の組成物。
【請求項１８】
可溶性IL-31RA受容体がSEQ ID NO:12のアミノ酸残基1〜239を含む、請求項15記載の組成物。
【請求項１９】
可溶性IL-31RA受容体がさらにIgG、IgA、IgD、IgM、またはIgEのFc領域とコンジュゲートしている、請求項15記載の組成物。
【請求項２０】
可溶性IL-31RA受容体がIL-31RAホモ二量体である、請求項15記載の組成物。
【請求項２１】
可溶性IL-31RA受容体がIL-31RA/OSMRβヘテロ二量体である、請求項15記載の組成物。
【請求項２２】
可溶性IL-31RA受容体が、SEQ ID NO:2のアミノ酸残基24〜164からなるIL-31ポリペプチドと結合する、請求項15記載の組成物。
【請求項２３】
可溶性IL-31RA受容体が、SEQ ID NO:2のアミノ酸残基27〜164からなるIL-31ポリペプチドと結合する、請求項15記載の組成物。
【請求項２４】
可溶性IL-31RA受容体がさらにポリエチレングリコールとコンジュゲートしている、請求項15記載の組成物。
【請求項２５】
可溶性IL-31RA受容体がさらにヒト血清アルブミンとコンジュゲートしている、請求項15記載の組成物。
【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
置換ピラジン誘導体を含む徐放性投薬形態であって、該投薬形態は、少なくとも約８時間徐放を提供するのに有効である、徐放性投薬形態。
【請求項２】
前記投薬形態が、少なくとも約１２時間徐放を提供するのに有効である、請求項１に記載の徐放性投薬形態。
【請求項３】
置換ピラジン誘導体を含む徐放性投薬形態であって、該投薬形態は、定常状態で血漿プロフィールを提供するのに有効であり、Ｃｍａｘ／Ｃｍｉｎが３以下である、徐放性投薬形態。
【請求項４】
前記投薬形態が、約２４時間までの期間にわたってゼロ次溶解プロフィールを提供するのに有効である、請求項１に記載の徐放性投薬形態。
【請求項５】
前記投薬形態が、約２０時間までの期間にわたってゼロ次溶解プロフィールを提供するのに有効である、請求項４に記載の徐放性投薬形態。
【請求項６】
前記投薬形態が、約２４時間までの期間にわたって一次溶解速度を提供するのに有効である、請求項１に記載の徐放性投薬形態。
【請求項７】
前記投薬形態が、約２０時間までの期間にわたって一次溶解速度を提供するのに有効である、請求項６に記載の徐放性投薬形態。
【請求項８】
２％および５０％の用量が、水性の環境への曝露の後、２時間後に放出される、請求項１に記載の徐放性投薬形態。
【請求項９】
１０％および５０％の用量が、水性の環境への曝露の後、４時間後に放出される、請求項１に記載の徐放性投薬形態。
【請求項１０】
２０％および８０％の用量が、水性の環境への曝露の後、８時間後に放出される、請求項１に記載の徐放性投薬形態。
【請求項１１】
浸透圧性投薬形態を含む、請求項１に記載の投薬形態。
【請求項１２】
マトリックス投薬形態を含む、請求項１に記載の投薬形態。
【請求項１３】
コーティングビーズ投薬形態を含む、請求項１に記載の投薬形態。
【請求項１４】
中枢神経系障害を処置するための徐放性投薬形態であって、該徐放性投薬形態は、
置換ピラジン誘導体
を含む、徐放性投薬形態。
【請求項１５】
前記障害がてんかんである、請求項１４に記載の徐放性投薬形態。
【請求項１６】
精神障害を処置するための徐放性投薬形態であって、該徐放性投薬形態は、
治療有効量の置換ピラジン誘導体
を含む、徐放性投薬形態。
【請求項１７】
前記障害が、薬物誘発性のジスキネジーもしくは自然に発生するジスキネジー、パーキンソン病におけるＬ−ＤＯＰＡ処置に対するオフフェーズタキフィラキシー、運動障害、神経変性障害に関連する認知症もしくは認識障害、線維筋痛症、急性疼痛および慢性疼痛、片頭痛、ならびに制御不能情動からなる群より選択される、請求項１４に記載の徐放性投薬形態。
【請求項１８】
前記障害が、単極性うつ病、双極性うつ病、大うつ性障害、統合失調症の陽性症状および陰性症状、外傷後ストレス症候群、急性躁病、パニック反応およびパニック発作ならびに精神病性反応および精神病性発作、行為障害、間欠性爆発性障害もしくは破壊的障害、不安障害、統合失調症の認知的症状、境界人格障害、注意欠陥障害、アルコール症ならびに物質乱用からなる群より選択される、請求項１６に記載の徐放性投薬形態。
【請求項１９】
前記置換ピラジン誘導体が、３−（２，３，５−トリクロロ−フェニル）−ピラジン−２，６−ジアミンである、請求項１に記載の投薬形態。
【請求項２０】
前記置換ピラジン誘導体が、３−（２，３，５−トリクロロ−フェニル）−ピラジン−２，６−ジアミンである、請求項１４に記載の徐放性投薬形態。
【請求項２１】
前記置換ピラジン誘導体が、３−（２，３，５−トリクロロ−フェニル）−ピラジン−２，６−ジアミンである、請求項１６に記載の徐放性投薬形態。
【請求項２２】
３−（２，３，５−トリクロロ−フェニル）−ピラジン−２，６−ジアミンの治療効果を持続するための、３−（２，３，５−トリクロロ−フェニル）−ピラジン−２，６−ジアミンを含む投薬形態であって、該投薬形態は、該３−（２，３，５−トリクロロ−フェニル）−ピラジン−２，６−ジアミンを約１２時間〜２４時間にわたって制御された増加する用量で送達する、投薬形態。
【請求項２３】
前記置換ピラジン誘導体が、３−（２，３，５−トリクロロ−フェニル）−ピラジン−２，６−ジアミンのＭ１代謝産物、Ｍ２代謝産物、Ｍｅ代謝産物、Ｍ４代謝産物およびＭ５代謝産物からなる群より選択される、請求項１に記載の投薬形態。
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
ａ）治療上有効な量のＴＲＰＶ１アゴニストを有する薬剤デポー；
ｂ）ＣｌｏｇＰ値が１．０よりも大きい非親水性浸透促進剤；および
ｃ）密封裏打ち層
を含む薬剤送達装置。
【請求項２】
有効薬剤が、カプサイシン、カプサイシノイド、カプサイシン類似化合物、カプサイシン誘導体、およびこれらの混合物からなる群から選択される、請求項１記載の薬剤送達装置。
【請求項３】
前記ＴＲＰＶ１アゴニストがカプサイシンを含む、請求項２記載の薬剤送達装置。
【請求項４】
前記ＴＲＰＶ１アゴニストがカプサイシノイドを含む、請求項２記載の薬剤送達装置。
【請求項５】
前記ＴＲＰＶ１アゴニストがカプサイシン類似化合物を含む、請求項２記載の薬剤送達装置。
【請求項６】
前記ＴＲＰＶ１アゴニストがカプサイシン誘導体を含む、請求項２記載の薬剤送達装置。
【請求項７】
前記ＴＲＰＶ１アゴニストが、前記薬剤デポーのうち、重量で少なくとも約３０％を構成する、請求項１記載の薬剤送達装置。
【請求項８】
前記ＴＲＰＶ１アゴニストが、前記薬剤デポーのうち、重量で少なくとも約２０％を構成する、請求項１記載の薬剤送達装置。
【請求項９】
前記ＴＲＰＶ１アゴニストが、前記薬剤デポーのうち、重量で少なくとも約１０％を構成する、請求項１記載の薬剤送達装置。
【請求項１０】
前記ＴＲＰＶ１アゴニストが、前記薬剤デポーのうち、重量で少なくとも約８％を構成する、請求項１記載の薬剤送達装置。
【請求項１１】
前記ＴＲＰＶ１アゴニストが前記薬剤デポーのうち、重量で少なくとも約６％を構成する、請求項１記載の薬剤送達装置。
【請求項１２】
前記ＴＲＰＶ１アゴニストが前記薬剤デポーのうち、重量で少なくとも約５％を構成する、請求項１記載の薬剤送達装置。
【請求項１３】
前記ＴＲＰＶ１アゴニストが前記薬剤デポーのうち、重量で少なくとも約４％を構成する、請求項１記載の薬剤送達装置。
【請求項１４】
前記ＴＲＰＶ１アゴニストが前記薬剤デポーのうち、重量で少なくとも約２％を構成する、請求項１記載の薬剤送達装置。
【請求項１５】
前記ＴＲＰＶ１アゴニストが前記薬剤デポーのうち、重量で少なくとも約０．０４％を構成する、請求項１記載の薬剤送達装置。
【請求項１６】
前記非親水性浸透促進剤が、１−メントン、ミリスチン酸イソプロピル、ジメチルイソソルビド、カプリルアルコール、ラウリルアルコール、オレイルアルコール、酪酸イソプロピル、ヘキサン酸イソプロピル、酢酸ブチル、酢酸メチル、吉草酸メチル、オレイン酸エチル、ｄ−ピペリトン、ｄ−プロゲン（ｐｕｌｏｇｅｎｅ）、ｎ−ヘキサン、クエン酸、エタノール、プロパノール、イソプロパノール、酢酸エチル、プロピオン酸メチル、メタノール、ブタノール、ｔｅｒｔ−ブタノール、オクタノール、ミリスチルアルコール、メチル・ノネノイル（ｎｏｎｅｎｏｙｌ）アルコール、セチルアルコール、セテアリルアルコール、ステアリルアルコール、ミリスチン酸、ステアリン酸、パルミチン酸イソプロピル、およびこれらの混合物からなる群から選択される、請求項１記載の薬剤送達装置。
【請求項１７】
前記非親水性浸透促進剤がオレイルアルコールを含む、請求項１６記載の薬剤送達装置。
【請求項１８】
前記非親水性浸透促進剤が１−メントンを含む、請求項１６記載の薬剤送達装置。
【請求項１９】
前記非親水性浸透促進剤のＣｌｏｇＰ値が２．０以上である、請求項１記載の薬剤送達装置。
【請求項２０】
前記非親水性浸透促進剤のＣｌｏｇＰ値が３．０以上である、請求項１記載の薬剤送達装置。
【請求項２１】
前記非親水性浸透促進剤のＣｌｏｇＰ値が５．０以上である、請求項１記載の薬剤送達装置。
【請求項２２】
前記非親水性浸透促進剤のＣｌｏｇＰ値が７．０以上である、請求項１記載の薬剤送達装置。
【請求項２３】
前記非親水性浸透促進剤のＣｌｏｇＰ値が９．０以上である、請求項１記載の薬剤送達装置。
【請求項２４】
前記非親水性浸透促進剤が、前記薬剤デポーのうち、重量で少なくとも約３５％を構成する、請求項１記載の薬剤送達装置。
【請求項２５】
前記非親水性浸透促進剤が、前記薬剤デポーのうち、重量で少なくとも約３０％を構成する、請求項１記載の薬剤送達装置。
【請求項２６】
前記非親水性浸透促進剤が、前記薬剤デポーのうち、重量で少なくとも約２５％を構成する、請求項１記載の薬剤送達装置。
【請求項２７】
前記非親水性浸透促進剤が、前記薬剤デポーのうち、重量で少なくとも約２０％を構成する、請求項１記載の薬剤送達装置。
【請求項２８】
前記非親水性浸透促進剤が、前記薬剤デポーのうち、重量で少なくとも約１５％を構成する、請求項１記載の薬剤送達装置。
【請求項２９】
前記非親水性浸透促進剤が、前記薬剤デポーのうち、重量で少なくとも約１０％を構成する、請求項１記載の薬剤送達装置。
【請求項３０】
前記非親水性浸透促進剤が、前記薬剤デポーのうち、重量で少なくとも約５％を構成する、請求項１記載の薬剤送達装置。
【請求項３１】
前記ＴＲＰＶ１アゴニストが、前記薬剤デポーの中に溶解、部分溶解、または分散している、請求項１記載の薬剤送達装置。
【請求項３２】
前記薬剤デポーがポリマー基質を含む、請求項１記載の薬剤送達装置。
【請求項３３】
前記ポリマー基質が接着性基質を含む、請求項３２記載の薬剤送達装置。
【請求項３４】
前記ポリマー基質が、ゼラチン、ポリアクリル酸塩、ポリイソブチレン、ポリシロキサン、ポリウレタン、ポリビニルピロリドン、およびこれらのコポリマーおよび混合物からなる群から選択される、請求項３２記載の薬剤送達装置。
【請求項３５】
前記薬剤デポーが、マイクロリザーバーの中に溶解または部分溶解しているＴＲＰＶ１アゴニストを含む、請求項１記載の薬剤送達装置。
【請求項３６】
前記薬剤デポーが、液体リザーバーの中にＴＲＰＶ１アゴニストを含む、請求項１記載の薬剤送達装置。
【請求項３７】
拡散速度調節膜をさらに含む、請求項１記載の薬剤送達装置。
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
配列番号２又は配列番号４に示すアミノ酸配列を含むポリペプチドに特異的に結合する抗体又は抗体フラグメントを含む、哺乳動物の罹患皮膚を治療するための医薬組成物であって、
該罹患皮膚は皮膚リンパ球抗原陽性T細胞によって特徴付けられ、該医薬組成物の投与によって該罹患皮膚が改善し、予防し、阻害し又は減少する、前記医薬組成物。
【請求項２】
配列番号２又は配列番号４に示すアミノ酸配列を含むポリペプチドに特異的に結合する抗体又は抗体フラグメントを含む、哺乳動物の掻痒を処置するための医薬組成物であって、
該掻痒は膚リンパ球抗原陽性T細胞によって特徴付けられ、且つ該医薬組成物の投与によって該掻痒が改善し、予防し、阻害し又は減少する、前記医薬組成物。
【請求項３】
IL-31抗体又は抗体フラグメント治療を必要とする個体から得られた生物学的サンプルから循環皮膚リンパ球陽性T細胞を単離し、そして該単離した皮膚リンパ球陽性T細胞からのIL-31産生を検出すること、を含む検定方法であって、該検定の結果が、該個体におけるIL-31抗体又は抗体フラグメントに対する治療的応答を予測するために使用される、前記方法。
【請求項４】
前記皮膚リンパ球抗原陽性T細胞を刺激又は活性化する追加のステップを含む、請求項３に記載の方法。
【請求項５】
前記哺乳動物が接触皮膚炎、薬物誘導遅延型皮膚アレルギー性反応、中毒性表皮剥離症、皮膚T細胞リンパ腫、水疱性類天疱瘡、円形脱毛症、白斑、酒さ、結節性痒疹、及び単純ヘルペスウィルスから選ばれる皮膚疾患を有する、請求項１又は２に記載の医薬組成物。
【請求項６】
前記アンタゴニスト分子が配列番号２で示されるアミノ酸配列を含むポリペプチドに特異的に結合する、請求項１、２又は５に記載の医薬組成物。
【請求項７】
前記アンタゴニスト分子が配列番号４で示されるアミノ酸配列を含むポリペプチドに特異的に結合する、請求項１、２又は５に記載の医薬組成物。
【請求項８】
前記罹患皮膚が掻痒である、請求項１に記載の医薬組成物。
【請求項９】
前記個体が接触皮膚炎、薬物誘導遅延型皮膚アレルギー性反応、中毒性表皮剥離症、皮膚T細胞リンパ腫、水疱性類天疱瘡、円形脱毛症、白斑、酒さ、結節性痒疹、及び単純ヘルペスウィルスから選ばれる皮膚疾患を有する、請求項３又は４に記載の方法。
【請求項１０】
前記アンタゴニスト分子が配列番号２で示されるアミノ酸配列を含むポリペプチドに特異的に結合する、請求項３、４又は９に記載の方法。
【請求項１１】
前記アンタゴニスト分子が配列番号４で示されるアミノ酸配列を含むポリペプチドに特異的に結合する、請求項３、４又は９に記載の方法。
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
トレーサー標識された遊離ＰＳＡ、ＰＳＡの前駆体、ＰＳＡの内部にニックが入った形態、低分子量遊離ＰＳＡ、標準分子量遊離ＰＳＡ、不活性型成熟ＰＳＡ、ＰＳＡの切り詰め形態、ＰＳＡのグリコシル化バリアント、ＢＰＳＡ、不活性型プロ−ＰＳＡ、又はｈＫ２特異的抗体。
【請求項２】
前記抗体が、ＰＳＡについて４Ｄ４、５Ｃ３、２４１、２Ｅ９、Ｈ１１７、及び５Ａ１０、又はそれらの断片、並びにｈＫ２について１１Ｂ６及び７Ｇ１、又はそれらの断片からなる群から選ばれる、請求項１に記載のトレーサー標識された抗体。
【請求項３】
前記ＰＳＡ又はｈＫ２特異的抗体が、テクネチウム-９９ｍでトレーサー標識されている、請求項１又は２に記載のトレーサー標識された抗体。
【請求項４】
トレーサー標識された遊離ＰＳＡ、ＰＳＡの前駆体、ＰＳＡの内部にニックが入った形態、低分子量遊離ＰＳＡ、標準分子量遊離ＰＳＡ、不活性型成熟ＰＳＡ、ＰＳＡの切り詰め形態、ＰＳＡのグリコシル化バリアント、ＢＰＳＡ、不活性型プロ−ＰＳＡ、又はｈＫ２特異的抗体であって、体内に注射される抗体を含む、前立腺癌の診断用キット。
【請求項５】
前記抗体が、ＰＳＡについて４Ｄ４、５Ｃ３、２４１、２Ｅ９、Ｈ１１７、及び５Ａ１０、又はそれらの断片、並びにｈＫ２について１１Ｂ６及び７Ｇ１、又はそれらの断片からなる群から選ばれる、請求項４に記載のキット。
【請求項６】
前記抗体が、テクネチウム-９９ｍでトレーサー標識される、請求項４又は５に記載のキット。
【請求項７】
ＰＳＡ又はｈＫ２産生組織を可視化するのに使用するためのトレーサー標識された遊離ＰＳＡ、ＰＳＡの前駆体、ＰＳＡの内部にニックが入った形態、低分子量遊離ＰＳＡ、標準分子量遊離ＰＳＡ、不活性型成熟ＰＳＡ、ＰＳＡの切り詰め形態、ＰＳＡのグリコシル化バリアント、ＢＰＳＡ、不活性型プロ−ＰＳＡ、又はｈＫ２特異的抗体。
【請求項８】
前立腺癌の診断に使用するためのトレーサー標識された遊離ＰＳＡ、ＰＳＡの前駆体、ＰＳＡの内部にニックが入った形態、低分子量遊離ＰＳＡ、標準分子量遊離ＰＳＡ、不活性型成熟ＰＳＡ、ＰＳＡの切り詰め形態、ＰＳＡのグリコシル化バリアント、ＢＰＳＡ、不活性型プロ−ＰＳＡ、又はｈＫ２特異的抗体。
【請求項９】
前立腺癌の診断用キットにおけるトレーサー標識された遊離ＰＳＡ、ＰＳＡの前駆体、ＰＳＡの内部にニックが入った形態、低分子量遊離ＰＳＡ、標準分子量遊離ＰＳＡ、不活性型成熟ＰＳＡ、ＰＳＡの切り詰め形態、ＰＳＡのグリコシル化バリアント、ＢＰＳＡ、不活性型プロ−ＰＳＡ、又はｈＫ２特異的抗体の使用。
【手続補正書】
【提出日】平成21年2月10日(2009.2.10)
【手続補正１】
【補正対象書類名】特許請求の範囲
【補正対象項目名】請求項２３
【補正方法】変更
【補正の内容】
【請求項２３】
癌を有するか又は癌の素因を有する哺乳動物における癌の処置用の薬剤の製造のための請求項１〜２０のいずれか１項に従う化合物の使用。
【手続補正２】
【補正対象書類名】特許請求の範囲
【補正対象項目名】請求項２４
【補正方法】変更
【補正の内容】
【請求項２４】
癌が皮膚、前立腺、結腸直腸、膵臓、腎臓、卵巣、乳房、肝臓、舌、肺及び平滑筋組織から選択される請求項２３の使用。
【手続補正３】
【補正対象書類名】特許請求の範囲
【補正対象項目名】請求項２５
【補正方法】変更
【補正の内容】
【請求項２５】
癌が白血病、リンパ腫、非ホジキンリンパ腫、骨髄腫及び多発性骨髄腫から選択される請求項２３の使用。
【手続補正４】
【補正対象書類名】特許請求の範囲
【補正対象項目名】請求項２６
【補正方法】変更
【補正の内容】
【請求項２６】
癌を有するか又は癌の素因を有する哺乳動物における癌の処置用の薬剤の製造のための、１種又はそれ以上の抗腫瘍又は抗癌剤及び／又は放射線治療との組み合わせにおける、請求項１〜２０のいずれか１項に従う化合物の使用。
【手続補正５】
【補正対象書類名】特許請求の範囲
【補正対象項目名】請求項３０
【補正方法】変更
【補正の内容】
【請求項３０】
加速された又は高められたタンパク質分解を有するか又はその素因を有する哺乳動物における加速された又は高められたタンパク質分解の処置用の薬剤の製造のための請求項１〜２０のいずれか１項に従う化合物の使用。
【手続補正６】
【補正対象書類名】特許請求の範囲
【補正対象項目名】請求項３２
【補正方法】変更
【補正の内容】
【請求項３２】
疾患又は障害を有するか又はその素因を有する哺乳動物における、ヒト免疫不全ウイルス（ＨＩＶ）感染症、又は移植拒絶、関節炎、感染症、炎症性大腸疾患、喘息、骨粗鬆症、変形性関節症、乾癬、再狭窄及び自己免疫疾患からもたらされる炎症性障害から選択される疾患又は障害の処置用の薬剤の製造のための請求項１〜２０のいずれか１項に従う化合物の使用。
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
下記式Iを有する化合物。
【化１】
2008530110.tif 000001
（式中、X1、X2及びX3は、H及びヒドロキシ保護基から独立に選択される。）
【請求項２】
X1とX2が両方ともヒドロキシ保護基である、請求項１に記載の化合物。
【請求項３】
X1とX2が両方ともt-ブチルジメチルシリル基である、請求項２に記載の化合物。
【請求項４】
X1、X2、及びX3がすべてHであり、かつ該化合物が下記式IAを有する、請求項１に記載の化合物。
【化２】
2008530110.tif 000002
【請求項５】
有効量の請求項４に記載の化合物と、医薬的に許容しうる担体とを含む医薬組成物。
【請求項６】
前記有効量が、該組成物1g当たり約0.01μg〜約1mgの前記化合物を含む、請求項５に記載の医薬組成物。
【請求項７】
前記有効量が、該組成物1g当たり約0.1μg〜約500μgの前記化合物を含む、請求項５に記載の医薬組成物。
【請求項８】
有効量の請求項４に記載の化合物を含む生物学的状態に苦しむ対象を治療するための医薬組成物であって、前記生物学的状態が、乾癬；白血病；大腸癌；乳癌；前立腺癌；多発性硬化症；ループス；糖尿病；宿主対移植片反応；臓器移植の拒絶反応；リウマチ性関節炎、喘息、又は炎症性腸疾患から選択される炎症性疾患；しわ、十分な皮膚の堅固さの欠如、十分な皮膚の水分補給の欠如、又は不十分な皮脂分泌から選択される皮膚状態；腎性骨異栄養症；又は骨粗しょう症から選択される医薬組成物。
【請求項９】
X1、X2、及びX3がすべてHであり、かつ該化合物が下記式IBを有する、請求項１に記載の化合物。
【化３】
2008530110.tif 000003
【請求項１０】
請求項４又は請求項９に記載の化合物の、乾癬；白血病；大腸癌；乳癌；前立腺癌；多発性硬化症；ループス；糖尿病；宿主対移植片反応；臓器移植の拒絶反応；リウマチ性関節炎、喘息、又は炎症性腸疾患から選択される炎症性疾患；しわ、十分な皮膚の堅固さの欠如、十分な皮膚の水分補給の欠如、又は不十分な皮脂分泌から選択される皮膚状態；腎性骨異栄養症；又は骨粗しょう症から選択される生物学的状態の治療用薬物の調製における使用。
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
式１
【化１】
2008530176.tif 000001
の化合物（必要により個々の鏡像体、個々の鏡像体の混合物又はラセミ体の形態、必要によりこれらの薬理学上許される酸付加塩の形態だけでなく、必要によりこれらの溶媒和物及び／又は水和物の形態であってもよい）。
[式中、
ｎは１、２、３又は４を表し、
Ａは-O、-CR4R5、-NR6、-S、-CR4R5-O、-CR4R5-NR6、-CH=CH又は-CH2-CH2-の中から選ばれた二重結合基を表し、
R1は-C1-6-アルキルを表し、
R2及びR3（これらは同じであってもよく、また異なっていてもよい）はＨ、C1-6-アルキル、C2-6-アルケニル、C2-6-アルキニル、C3-6-シクロアルキル、C1-6-ハロアルキル、-O-C1-6-ハロアルキル、ハロゲン、OH、CN、NO2、O-C1-6-アルキル、-C2-6-アルキル-OH、NH2、NH-C1-6-アルキル、N(C1-6-アルキル)2、NHCO-C1-6-アルキル、NHSO2-C1-6-アルキル、S-C1-6-アルキル、SO-C1-6-アルキル、SO2-C1-6-アルキル、SO2NH2、SO2NH-C1-6-アルキル、SO2N(C1-6-アルキル)2、CONH2、CONH-C1-6-アルキル、CON(C1-6-アルキル)2、CO-C1-6-アルキル、COOH又はCOO-C1-4-アルキルを表し、又は
R2及びR3は一緒になって-O-CR4R5-O、-O-CR4R5-NR6又は-CH=CH-CH=CH-から選ばれた二重結合基を表し、
R4はＨ又はC1-6-アルキルを表し、
R5はＨ又はC1-6-アルキルを表し、
R6はＨ又はC1-6-アルキルを表す]
【請求項２】
ｎが１、２又は３を表し、
Ａが-CR4R5-O、-CH=CH-又は-CH2-CH2-の中から選ばれた二重結合基を表し、
R1が-C1-4-アルキルを表し、
R2及びR3（これらは同じであってもよく、また異なっていてもよい）がH、C1-4-アルキル、C2-4-アルケニル、C2-4-アルキニル、C3-6-シクロアルキル、C1-4-ハロアルキル、-O-C1-4-ハロアルキル、ハロゲン、OH、CN、NO2、-C2-4-アルキル-OH、-O-C1-4-アルキル、COOH又はCOO-C1-4-アルキルを表し、又は
R2及びR3が一緒になって-O-CR4R5-O、-O-CR4R5-NR6又は-CH=CH-CH=CH-から選ばれた二重結合基を表し、
R4がＨ又はC1-4-アルキルを表し、
R5がＨ又はC1-4-アルキルを表し、
R6がＨ又はC1-4-アルキルを表す、請求項１記載の式１の化合物（必要により個々の鏡像体、個々の鏡像体の混合物又はラセミ体の形態、必要によりこれらの薬理学上許される酸付加塩の形態だけでなく、必要によりこれらの溶媒和物及び／又は水和物の形態であってもよい）。
【請求項３】
Ａが-CR4R5-O、-CH=CH-又は-CH2-CH2-の中から選ばれた二重結合基を表し、
R4がＨ、メチル、又はエチルを表し、
R5がＨ、メチル、又はエチルを表す、請求項１又は２記載の式１の化合物（必要により個々の鏡像体、個々の鏡像体の混合物又はラセミ体の形態、必要によりこれらの薬理学上許される酸付加塩の形態だけでなく、必要によりこれらの溶媒和物及び／又は水和物の形態であってもよい）。
【請求項４】
R1がメチル、エチル又はプロピルを表す、請求項１、２又は３記載の式１の化合物（必要により個々の鏡像体、個々の鏡像体の混合物又はラセミ体の形態、必要によりこれらの薬理学上許される酸付加塩の形態だけでなく、必要によりこれらの溶媒和物及び／又は水和物の形態であってもよい）。
【請求項５】
R2がＨ、メチル、エチル、プロピル、ビニル、アリル、プロパルギル、シクロプロピル、シクロペンチル、シクロヘキシル、-CH2Cl、-CHCl2、-CCl3、-CH2F、-CHF2、-CF3、-CH2-CH2Cl、-CH2-CHCl2、-CH2-CCl3、-CH2-CH2F、-CH2-CHF2、-CH2-CF3、-CH2-CH2OH、フッ素、塩素、臭素、OH、CN、NO2、メトキシ、エトキシ、プロポキシ、COOH、COO-メチル、COO-エチル、COO-プロピル又はCOO-ブチルを表し、
R3がメチル、エチル、プロピル、ビニル、アリル、プロパルギル、シクロプロピル、シクロペンチル、シクロヘキシル、-CH2Cl、-CHCl2、-CCl3、-CH2F、-CHF2、-CF3、-CH2-CH2Cl、-CH2-CHCl2、-CH2-CCl3、-CH2-CH2F、-CH2-CHF2、-CH2-CF3、-CH2-CH2OH、フッ素、塩素、臭素、OH、CN、NO2、メトキシ、エトキシ、プロポキシ、COOH、COO-メチル、COO-エチル、COO-プロピルもしくはCOO-ブチルを表し、又は
R2及びR3が一緒になって-O-CR4R5-O、-O-CR4R5-NR6又は-CH=CH-CH=CH-から選ばれた二重結合基を表し、
R4がＨ、メチル、又はエチルを表し、
R5がＨ、メチル、又はエチルを表し、
R6がＨ、メチル、又はエチルを表す、請求項１、２、３又は４記載の式１の化合物（必要により個々の鏡像体、個々の鏡像体の混合物又はラセミ体の形態、必要によりこれらの薬理学上許される酸付加塩の形態だけでなく、必要によりこれらの溶媒和物及び／又は水和物の形態であってもよい）。
【請求項６】
化合物が塩酸塩、臭化水素酸塩、ヨウ化水素酸塩、硫酸水素塩、リン酸水素塩、メタンスルホン酸塩、硝酸塩、マレイン酸水素塩、酢酸塩、安息香酸塩、クエン酸水素塩、フマル酸水素塩、酒石酸水素塩、シュウ酸水素塩、コハク酸水素塩、安息香酸塩及びp-トルエンスルホン酸塩の中から選ばれる薬理学上許される酸とのこれらの酸付加塩の一種の形態であることを特徴とする、請求項１から５のいずれか1項記載の式１の化合物。
【請求項７】
化合物が式R-1
【化２】
2008530176.tif 000002
のR-鏡像体の形態であることを特徴とする、請求項１から６のいずれか1項記載の式１の化合物。
【請求項８】
請求項１から７のいずれか１項記載の式１の化合物を含有する医薬組成物。
【請求項９】
呼吸系の病気の治療のための医薬組成物を調製するための請求項１から７のいずれか１項記載の式１の化合物の使用。
【手続補正書】
【提出日】平成21年1月5日(2009.1.5)
【手続補正１】
【補正対象書類名】特許請求の範囲
【補正対象項目名】請求項１
【補正方法】変更
【補正の内容】
【請求項１】
グリセロールを脱水してアクロレインを製造する方法であって、製造を分子酸素の存在下で行い、酸素含有率は反応器を出る乾燥気体混合物の７容積％以下でかつゼロであってはならないことを特徴とする方法。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
（ａ）配列番号５７７のアミノ酸配列；（ｂ）（ａ）のアミノ酸配列と少なくとも８０％の配列同一性を有するアミノ酸配列；（ｃ）（ａ）のアミノ酸配列由来の少なくとも１０個の連続するアミノ酸の断片であるアミノ酸配列；または（ｄ）（ａ）のアミノ酸配列と少なくとも８０％の配列同一性を有し、（ａ）のアミノ酸配列由来の少なくとも１０個の連続するアミノ酸の断片を含むアミノ酸配列、を含むポリペプチド。
【請求項２】
（ａ）配列番号８９のアミノ酸配列；（ｂ）（ａ）のアミノ酸配列と少なくとも８０％の配列同一性を有するアミノ酸配列；（ｃ）（ａ）のアミノ酸配列由来の少なくとも１０個の連続するアミノ酸の断片であるアミノ酸配列；または（ｄ）（ａ）のアミノ酸配列と少なくとも８０％の配列同一性を有し、（ａ）のアミノ酸配列由来の少なくとも１０個の連続するアミノ酸の断片を含むアミノ酸配列、を含むポリペプチド。
【請求項３】
（ａ）配列番号２２１のアミノ酸配列；（ｂ）（ａ）のアミノ酸配列と少なくとも８０％の配列同一性を有するアミノ酸配列；（ｃ）（ａ）のアミノ酸配列由来の少なくとも１０個の連続するアミノ酸の断片であるアミノ酸配列；または（ｄ）（ａ）のアミノ酸配列と少なくとも８０％の配列同一性を有し、（ａ）のアミノ酸配列由来の少なくとも１０個の連続するアミノ酸の断片を含むアミノ酸配列、を含むポリペプチド。
【請求項４】
（ａ）配列番号１３８のアミノ酸配列；（ｂ）（ａ）のアミノ酸配列と少なくとも８０％の配列同一性を有するアミノ酸配列；（ｃ）（ａ）のアミノ酸配列由来の少なくとも１０個の連続するアミノ酸の断片であるアミノ酸配列；または（ｄ）（ａ）のアミノ酸配列と少なくとも８０％の配列同一性を有し、（ａ）のアミノ酸配列由来の少なくとも１０個の連続するアミノ酸の断片を含むアミノ酸配列、を含むポリペプチド。
【請求項５】
（ａ）配列番号３０７のアミノ酸配列；（ｂ）（ａ）のアミノ酸配列と少なくとも８０％の配列同一性を有するアミノ酸配列；（ｃ）（ａ）のアミノ酸配列由来の少なくとも１０個の連続するアミノ酸の断片であるアミノ酸配列；または（ｄ）（ａ）のアミノ酸配列と少なくとも８０％の配列同一性を有し、（ａ）のアミノ酸配列由来の少なくとも１０個の連続するアミノ酸の断片を含むアミノ酸配列、を含むポリペプチド。
【請求項６】
（ａ）配列番号
【化１】
2008530245.tif 000001
からなる群より選択されるアミノ酸配列；（ｂ）（ａ）のアミノ酸配列と少なくとも８０％の配列同一性を有するアミノ酸配列；（ｃ）（ａ）のアミノ酸配列由来の少なくとも１０個の連続するアミノ酸の断片であるアミノ酸配列；または（ｄ）（ａ）のアミノ酸配列と少なくとも８０％の配列同一性を有し、（ａ）のアミノ酸配列由来の少なくとも１０個の連続するアミノ酸の断片を含むアミノ酸配列、を含むポリペプチド。
【請求項７】
（ａ）配列番号２２、１２０、２１９、３０５、３７１、４００、４８９、５５５、５６５、５９７、５９８および５９９からなる群より選択されるアミノ酸配列；
（ｂ）（ａ）のアミノ酸配列と少なくとも８０％の配列同一性を有するアミノ酸配列；
（ｃ）（ａ）のアミノ酸配列由来の少なくとも１０個の連続するアミノ酸の断片であるアミノ酸配列；または
（ｄ）（ａ）のアミノ酸配列と少なくとも８０％の配列同一性を有し、（ａ）のアミノ酸配列由来の少なくとも１０個の連続するアミノ酸の断片を含むアミノ酸配列、
を含むポリペプチド。
【請求項８】
前記断片が、（ａ）の少なくとも１つのＢ細胞エピトープを含む、請求項１〜７のいずれか１項に記載のポリペプチド。
【請求項９】
医薬における使用のための請求項１〜８のいずれか１項に記載のポリペプチド。
【請求項１０】
薬学的に許容され得る担体と混合された、請求項１〜８のいずれか１項に記載のポリペプチドを含む医薬組成物。
【請求項１１】
薬学的に許容され得る担体と混合された２種類以上の請求項１〜８のいずれか１項に記載のポリペプチドを含む医薬組成物。
【請求項１２】
ワクチンアジュバントをさらに含む、請求項１０または１１に記載の組成物。
【請求項１３】
（ａ）配列番号２２１、２２、１２０、２１９、３０５、３７１、４００、４８９、５５５、５６５、５９７、５９８および５９９からなる群より選択されるアミノ酸配列；
（ｂ）（ａ）のアミノ酸配列と少なくとも８０％の配列同一性を有するアミノ酸配列；
（ｃ）（ａ）のアミノ酸配列由来の少なくとも１０個の連続するアミノ酸の断片であるアミノ酸配列；または
（ｄ）（ａ）のアミノ酸配列と少なくとも８０％の配列同一性を有し、（ａ）のアミノ酸配列由来の少なくとも１０個の連続するアミノ酸の断片を含むアミノ酸配列、
を含む１種類以上のポリペプチドを発現または過剰発現する１種類以上の外膜小胞（ＯＭＶ）を含む免疫原性組成物。
【請求項１４】
前記断片が、（ａ）の少なくとも１つのＢ細胞エピトープを含む、請求項１３に記載の免疫原性組成物。
【請求項１５】
患者の免疫応答を高めるための医薬の製造における請求項１〜８のいずれか１項に記載のポリペプチド、または請求項１３もしくは１４に記載の免疫原性組成物の使用。
【請求項１６】
患者の免疫応答を高めるための、請求項１０〜１２のいずれか１項に記載の医薬組成物または請求項１３もしくは１４に記載の免疫原性組成物。
【請求項１７】
前記免疫応答がＥｘＰＥＣ感染に対して防御的である、請求項１６に記載の医薬組成物。
【請求項１８】
前記免疫応答がＥｘＰＥＣ感染に対して防御的である、請求項１５に記載の使用。
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
有効量の、少なくとも1種の他の化学療法薬と組み合わせて増殖性疾患を処置するための医薬の製造のための、タキサン及び担体タンパク質を含む、有効量の組成物の使用。
【請求項２】
前記化学療法薬は、該他の化学療法薬およびアルブミンを含むナノ粒子を含む組成物の形態である、請求項１に記載の使用。
【請求項３】
タキサン及び前記化学療法薬を含む前記ナノ粒子組成物が共に投与される、請求項１または２に記載の使用。
【請求項４】
タキサン及び前記化学療法薬を含む前記ナノ粒子組成物が逐次投与される、請求項１または２に記載の使用。
【請求項５】
タキサン及び前記化学療法薬を含む前記ナノ粒子組成物が同時に投与される、請求項１または２に記載の使用。
【請求項６】
前記化学療法薬が、抗代謝薬、白金系薬剤、アルキル化剤、チロシンキナーゼ阻害剤、アントラサイクリン抗生物質、ビンカアルカロイド、プロテアソーム阻害剤、マクロライド、治療用抗体、抗血管新生剤、及びトポイソメラーゼ阻害剤からなる群から選択される、請求項１〜５のいずれか１項に記載の使用。
【請求項７】
前記他の化学療法薬は抗ＶＥＧＦ抗体である、請求項１〜５のいずれか１項に記載の使用。
【請求項８】
前記他の化学療法薬がゲムシタビンである、請求項１〜５のいずれか１項に記載の使用。
【請求項９】
前記ゲムシタビンの用量は、１０００〜２０００ｍｇ／ｍ２である、請求項８に記載の使用。
【請求項１０】
タキサンおよび前記ゲムシタビンを含む前記ナノ粒子組成物は、１週間に１回投与される、請求項８または９に記載の組成物。
【請求項１１】
前記他の化学療法薬が白金系薬剤である、請求項６に記載の使用。
【請求項１２】
前記他の化学療法薬がチロシンキナーゼ阻害剤である、請求項６に記載の使用。
【請求項１３】
前記他の化学療法薬が１７ＡＡＧである、請求項１〜５のいずれか１項に記載の使用。
【請求項１４】
前記他の化学療法薬がラパマイシンである、請求項１〜５のいずれか１項に記載の使用。
【請求項１５】
放射線療法、手術又はそれらの組み合わせを含む第二の療法と組み合わせて、増殖性疾患を処置するための医薬の製造のための、タキサン及び担体タンパク質を含むナノ粒子を含む、有効量の組成物の使用。
【請求項１６】
前記ナノ粒子組成物中のタキサンの用量は、約５０〜約２５０ｍｇ／ｍ２である、請求項１〜１５のいずれか１項に記載の使用。
【請求項１７】
個体における増殖性疾患を処置するための医薬の製造のための、タキサン及び担体タンパク質を含むナノ粒子を含む、有効量の組成物の使用であって、ここで該医薬は、従来の投与計画に準じた最大耐用量の約０．２５〜約２５％の用量で、少なくとも１ヵ月間にわたって投与され、各投与の間隔が約１週間を超えることがない、使用。
【請求項１８】
前記タキサンは、パクリタキセルまたはドセタキセルである、請求項１〜１７のいずれか１項に記載の使用。
【請求項１９】
タキサンおよび担体タンパク質を含む前記ナノ粒子の平均直径が約２００ｎｍ未満である、請求項１〜１８のいずれか１項に記載の使用。
【請求項２０】
タキサンおよび担体タンパク質を含む前記ナノ粒子は、滅菌濾過可能である、請求項１〜１９のいずれか１項に記載の使用。
【請求項２１】
前記ナノ粒子は、前記担体タンパク質で被覆されたタキサンを含む、請求項１〜２０のいずれか１項に記載の使用。
【請求項２２】
増殖性疾患を処置するための医薬の製造のための、ａ）チオコルヒチンまたはその油動態、ラパマイシン、または１７−ＡＡＧ、およびｂ）担体タンパク質を含むナノ粒子を含む組成物の使用。
【請求項２３】
前記担体タンパク質はアルブミンである、請求項１〜２２のいずれか１項に記載の使用。
【請求項２４】
前記増殖性疾患が癌である、請求項１〜２３のいずれか１項に記載の使用。
【請求項２５】
前記癌が肺癌である、請求項２４に記載の使用。
【請求項２６】
前記癌は膵癌である、請求項２４に記載の使用。
【請求項２７】
前記癌が乳癌である、請求項２４に記載の使用。
【請求項２８】
ａ）タキサン及び担体タンパク質、およびｂ）少なくとも1種の他の化学療法薬を含む組成物。
【請求項２９】
前記他の化学療法薬は、該他の化学療法薬およびアルブミンを含むナノ粒子を含む組成物組成物の形態である、請求項２８に記載の組成物。
【請求項３０】
前記化学療法薬は、抗代謝薬、白金系薬剤、アルキル化剤、チロシンキナーゼ阻害剤、アントラサイクリン抗生物質、ビンカアルカロイド、プロテアソーム阻害剤、マクロライド、治療用抗体、抗血管新生剤、及びトポイソメラーゼ阻害剤からなる群から選択される、請求項２８または２９に記載の組成物。
【請求項３１】
前記タキサンは、パクリタキセルまたはドセタキセルである、請求項２８〜３０のいずれか１項に記載の組成物。
【請求項３２】
タキサンおよび担体タンパク質を含むナノ粒子の平均直径は約２００ｎｍ未満である、請求項２８〜３１のいずれか１項に記載の組成物。
【請求項３３】
タキサンおよび担体タンパク質を含む前記ナノ粒子は、滅菌濾過可能である、請求項２８〜３２のいずれか１項に記載の組成物。
【請求項３４】
タキサンおよび担体タンパク質を含む前記ナノ粒子は、前記担体タンパク質で被覆されたタキサンを含む、請求項２８〜３３のいずれか１項に記載の使用。
【請求項３５】
１７−ＡＡＧおよび担体タンパク質を含むナノ粒子を含む、組成物。
【請求項３６】
前記ナノ粒子は、前記担体タンパク質で被覆された１７−ＡＡＧを含む、請求項３５に記載の組成物。
【請求項３７】
前記組成物中の前記ナノ粒子の平均直径は２００ｎｍ未満である、請求項３５または３６に記載の組成物。
【請求項３８】
前記ナノ粒子は、滅菌濾過可能である、請求項３５〜３７のいずれか１項に記載の組成物。
【請求項３９】
前記担体タンパク質はアルブミンである、請求項２８〜３８のいずれか１項に記載の組成物。
【請求項４０】
ａ）タキサンおよび担体タンパク質を含むナノ粒子を含む組成物、ならびにｂ）増殖性疾患を処置するために、該ナノ粒子および少なくとも1種の他の化学療法薬を投与するための指示書、を含む、キット。
【請求項４１】
１種の化学療法薬をさらに含む、請求項４０に記載のキット。
【請求項４２】
前記他の化学療法薬は、該他の化学療法薬およびアルブミンを含むナノ粒子を含む組成物の形態である、請求項４１に記載のキット。
【請求項４３】
前記他の化学療法薬は、抗代謝薬、白金系薬剤、アルキル化剤、チロシンキナーゼ阻害剤、アントラサイクリン抗生物質、ビンカアルカロイド、プロテアソーム阻害剤、マクロライド、治療用抗体、抗血管新生剤、及びトポイソメラーゼ阻害剤からなる群から選択される、請求項４０〜４２のいずれか１項に記載のキット。
【請求項４４】
前記他の化学療法薬はラパマイシンである、請求項４０〜４３に記載のキット、
【請求項４５】
前記タキサンはパクリタキセルまたはドセタキセルである、請求項４０〜４４に記載のキット。
【請求項４６】
前記担体タンパク質はアルブミンである、請求項４５に記載のキット。
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
式（Ｉ）によって表わされる化合物
【化１】
2008530211.tif 000001
［式中、Ｒ１およびＲ２は各々独立に−（Ｃ０−６アルキル）−Ｗ−（Ｃ６−１４アリール）、−（Ｃ０−６アルキル）−Ｗ−複素環および−（Ｃ０−６アルキル）−Ｗ−（Ｃ３−７シクロアルキル）から選択され；
Ｒ３およびＲ４は各々独立に−Ｃ０−６アルキル、−（Ｃ０−６アルキル）−Ｗ−（Ｃ１−６アルキル）、−（Ｃ０−６アルキル）−Ｗ−（Ｃ３−７シクロアルキル）、−（Ｃ０−６アルキル）−Ｗ−（Ｃ６−ｌ４アリール）、−（Ｃ０−６アルキル）−Ｗ−複素環および−Ｃ（Ｏ）ＯＲ６から選択され；
ここに、Ｒ１、Ｒ２、Ｒ３およびＲ４の各々は独立に未置換であるかまたは１〜７個の置換基で置換されており、前記１〜７個の置換基の各々は独立にハロ、ヒドロキシ、−Ｏ−Ｃ１−３アルキル、トリフルオロメチル、−Ｃ１−３アルキル、−ＣＯ２Ｒ６、−ＣＮ、−Ｎ（Ｒ６）２、−ＮＲ６ＣＯＲ６、−ＮＲＳＯ２Ｒ６および−ＣＯＮＲ６から選択され；
Ｒ５は水素、−Ｃ０−６アルキル、−（Ｃ０−６アルキル）−（Ｃ６−１４アリール）、−（Ｃ０−６アルキル）−複素環、−（Ｃ０−６アルキル）−Ｃ３−７シクロアルキルおよび−（Ｃ０−６アルキル）−Ｃ０２Ｒ６から選択され；
Ｒ６は独立にＣ１−６アルキルおよびＮＲ５Ｃ（Ｎ）ＮＨ２から選択されるか、または、２個のＲ６が一緒にピロリジニル、ピペリジニルおよびアゼパニルから選択される環を形成しており；
ＸはＣＨ２、Ｎ、ＯまたはＳであり；
Ｗは、単結合、−Ｏ−、−Ｓ−、−ＳＯ−、−ＳＯ２−、−ＣＯ−、−ＣＯ２−、−ＣＯＮＲ６−および−ＮＲ６−から選択され；
ｎは０〜６である］、
あるいは医薬的に許容されるその塩、またはそれらの個々のジアステレオマー。
【請求項２】
Ｒ１およびＲ２が各々独立に、−（Ｃ６−１４アリール）および（Ｃ６−１４ヘテロアリール）から選択され；
Ｒ３およびＲ４が各々独立に、−Ｃ０−６アルキル、−（Ｃ０−６アルキル）−（Ｃ６−ｌ４アリール）、−（Ｃ０−６アルキル）−（Ｃ６−１４ヘテロアリール）から選択され、
ここに、Ｒ１、Ｒ２、Ｒ３およびＲ４の各々は独立に未置換であるかまたは１〜７個の置換基で置換されており、前記１〜７個の置換基の各々は独立に、ハロ、ヒドロキシ、−Ｏ−Ｃ１−３アルキル、トリフルオロメチル、−Ｃ１−３アルキル、−ＣＯ２Ｒ６、−ＣＮ、−Ｎ（Ｒ６）２、−ＮＲ６ＣＯＲ６、−ＮＲＳＯ２Ｒ６および−ＣＯＮＲ６から選択され；
Ｒ５は−Ｃ０−６アルキルであり；
Ｒ６は独立に、Ｃ１−６アルキルおよびＮＲ５Ｃ（Ｎ）ＮＨ２から選択されるか、または、２個のＲ６が一緒にピロリジニル、ピペリジニルおよびアゼパニルから選択される環を形成しており；
ＸはＣＨ２またはＯであり；
Ｗは、単結合、−Ｏ−、−Ｓ−、−ＳＯ−、−ＳＯ２−、−ＣＯ−、−ＣＯ２−、−ＣＯＮＲ６−および−ＮＲ６−から選択され；
ｎは０〜６である、請求項１に記載の化合物、あるいは医薬的に許容されるその塩またはそれらの個々のジアステレオマー。
【請求項３】
【表１】
2008530211.tif 000002
2008530211.tif 000003
2008530211.tif 000004
2008530211.tif 000005
から選択される化合物、あるいは医薬的に許容されるその塩またはそれらの個々のジアステレオマー。
【請求項４】
不活性担体と、請求項１に記載の化合物と、を含む医薬組成物。
【請求項５】
哺乳動物におけるケモカイン受容体活性を変調するための、請求項４に記載の医薬組成物。
【請求項６】
患者における炎症性または免疫調節性障害もしくは疾患を治療、改善、制御または危険低下するための、請求項４に記載の医薬組成物。
【請求項７】
前記障害もしくは疾患が、多発性硬化症、リウマチ様関節炎、アテローム性動脈硬化症、慢性閉塞性肺疾患、肥満症、ＩＩ型糖尿病および代謝症候群から選択される、請求項６に記載の医薬組成物。